(57)【要約】【課題】容器を覆って配置するシート状部材を頻繁に交換する必要のない食器具を提供する。容器の形状に拘わらず、その表面に追随してシート状部材を配置させることのできる食器具を提供する。シート状部材に余計な付属物がなく、使用者の違和感をもたらすことのない食器具を提供する。【解決手段】少なくとも、ベース部と、シート収納部材と、シートカット手段とが備えられた食器具。前記ベース部は、その表面に食品を載置し得るように構成されている。前記シート収納部材は、端部から連続的に引き出されるシート状部材を収納するように構成されている。前記シートカット手段は、前記シート収納部材から引き出されたシート状部材を前記ベース部の表面を覆った状態で前記シート状部材の引き出し側の端部をカットできるように構成されている。前記シート状部材を介して前記ベース部の表面に前記食品を載置できるようになっている。【選択図】図１
2012024361.tif 000002
【特許請求の範囲】
【請求項１】
少なくとも、ベース部と、シート収納部材と、シートカット手段とが備えられ、
前記ベース部は、その表面に食品を載置し得るように構成され、
前記シート収納部材は、端部から連続的に引き出されるシート状部材を収納するように構成され、
前記シートカット手段は、前記シート収納部材から引き出されたシート状部材を前記ベース部の表面を覆った状態で前記シート状部材の引き出し側の端部をカットできるように構成され、
前記シート状部材を介して前記ベース部の表面に前記食品を載置できるようにしたことを特徴とする食器具。
【請求項２】
シート抑え手段が取り付けられ、このシート抑え手段は、前記シート収納部材から引き出されたシート状部材を前記ベース部の表面を覆った状態で前記シート状部材の引き出し側の端部を押圧できるように構成されていることを特徴とする請求項１に記載の食器具。
【請求項３】
前記ベース部の表面は少なくとも部分的に鏡面加工されていることを特徴とする請求項１、２のいずれかに記載の食器具。
【請求項４】
前記ベース部は、表面側に凸となるＲ加工がなされていることを特徴とする請求項１、２のいずれかに記載の食器具。
【請求項５】
前記ベース部は、その表面に部分的に凹部が形成されていることを特徴とする請求項１、２のいずれかに記載の食器具。
【請求項６】
前記ベース部は、その表面に波状の凹部が形成されていることを特徴とする請求項１、２のいずれかに記載の食器具。
【請求項７】
前記シート状部材は前記シート収納部材に対して着脱可能に収納されていることを特徴とする請求項１、２のいずれかに記載の食器具。
【請求項８】
前記シート状部材は、ラップ、紙、アルミニゥムのうちいずれかの材料で構成されていることを特徴とする請求項１、２のいずれかに記載の食器具。
【請求項９】
前記シート状部材は、伸縮性を有する材料で構成されていることを特徴とする請求項１、２のいずれかに記載の食器具。
【発明の詳細な説明】
【技術分野】
【０００１】
本発明は、食器具に関する。
【背景技術】
【０００２】
食品容器の表面にシート状部材を覆うように構成し、食品を該シート状部材の上に盛りつけるようにした食器具として、たとえば、下記特許文献１、あるいは特許文献２に示すようなものが知られている。
【０００３】
特許文献１あるいは特許文献２には、容器の内側に合成樹脂フィルムを剥離可能に積層され、積層されたフィルムを容器から引き剥がすことによって食品汚れをフィルムごと容器から除去できる開示がなされている。
【０００４】
このような食器具は、食器容器の内側に付着する食品汚れを水を使って洗浄することなく簡単に除去できる効果を有し、たとえばピクニック等において極めて便利に機能できるようになる。また、環境保護の観点からも極めて好ましいものとなる。
【先行技術文献】
【特許文献】
【０００５】
【特許文献１】実公平７−５６１９０号公報
【特許文献２】特開２００６−３４６２４０号公報
【発明の概要】
【発明が解決しようとする課題】
【０００６】
しかしながら、上述した食器具は、複数のフィルムを剥離可能に積層させた特別な構成からなる合成樹脂フィルムを必要とするものとなっている。
【０００７】
このため、この合成樹脂フィルムは、凹面を有する食品容器の内側にその形状に沿って変形させながら粘着させる必要があるため、積層されたフィルムの数も限られたものとなる。フィルムの積層数を多くした合成樹脂フィルムは容器の凹面に追随して変形し難くなるからである。このため、合成樹脂フィルムを頻繁に買い換えなければならない煩雑さがともなう。
また、フィルムの積層数を多くした合成樹脂フィルムを採用せざるを得ない場合において、上述した理由から、食品容器としては凹面の深さが浅い皿状のものしか使用できず、食品容器の形状にともない種類が限られたものとなってしまうという不都合が生じる。
【０００８】
そして、上述した合成樹脂フィルムは、積層されたフィルムを一枚ごと引き剥がすように構成され、その引き剥がしを容易にするため、合成樹脂フィルムの周辺には各フィルムに取り付けた摘み部が互いに重なることなく配置されている。このため、この摘み部が食器具としての形状を特異なものとし、使用者に違和感をもたらすようになる。
【０００９】
本発明は、このような事情に鑑みてなされたものであり、その目的は、容器を覆って配置するシート状部材を頻繁に交換する必要のない食器具を提供することにある。
【００１０】
また、本発明の他の目的は、容器の形状に拘わらず、その表面に追随してシート状部材を配置させることのできる食器具を提供することにある。
【００１１】
さらに、本発明の他の目的は、シート状部材に余計な付属物がなく、使用者の違和感をもたらすことのない食器具を提供することにある。
【課題を解決するための手段】
【００１２】
本発明の食器具は、以下に示すような構成によって把握することができる。
（１）本発明の食器具は、少なくとも、ベース部と、シート収納部材と、シートカット手段とが備えられ、前記ベース部は、その表面に食品を載置し得るように構成され、前記シート収納部材は、端部から連続的に引き出されるシート状部材を収納するように構成され、前記シートカット手段は、前記シート収納部材から引き出されたシート状部材を前記ベース部の表面を覆った状態で前記シート状部材の引き出し側の端部をカットできるように構成され、前記シート状部材を介して前記ベース部の表面に前記食品を載置できるようにしたことを特徴とする。
【００１３】
（２）本発明の食器具は、（１）の構成において、シート抑え部材が取り付けられ、このシート抑え部材は、前記シート収納部材から引き出されたシート状部材を前記ベース部の表面を覆った状態で前記シート状部材の引き出し側の端部を押圧できるように構成されていることを特徴とする。
（３）本発明の食器具は、（１）、（２）のいずれかの構成において、前記ベース部の表面は少なくとも部分的に鏡面加工されていることを特徴とする。
（４）本発明の食器具は、（１）、（２）のいずれかの構成において、前記ベース部は、表面側に凸となるＲ加工がなされていることを特徴とする。
【００１４】
（６）本発明の食器具は、（１）、（２）のいずれかの構成において、前記ベース部は、その表面に波状の凹部が形成されていることを特徴とする。
（７）本発明の食器具は、（１）、（２）のいずれかの構成において、前記シート状部材は前記シート収納部材に対して着脱可能に収納されていることを特徴とする。
（８）本発明の食器具は、（１）、（２）のいずれかの構成において、前記シート状部材は、ラップ、紙、アルミニゥムのうちいずれかの材料で構成されていることを特徴とする。
（９）本発明の食器具は、（１）、（２）のいずれかの構成において、前記シート状部材は、伸縮性を有する材料で構成されていることを特徴とする。
【発明の効果】
【００１５】
本発明の食器具によれば、容器を覆って配置するシート状部材を頻繁に交換する必要がなくなる。また、容器の形状に拘わらず、その表面に追随してシート状部材を配置させることができるようになる。さらに、シート状部材に余計な付属物がなく、使用者のもつ違和感を回避できる。
【図面の簡単な説明】
【００１６】
【図１】本発明の食器具の実施態様１を示す構成図である。
【図２】図１に示した食器具の各部材の機能を示す説明図である。
【図３】図１に示した食器具にシート状部材を覆った状態を示した断面図である。
【図４】本発明の食器具の実施態様２を示す構成図である。
【図５】本発明の食器具の実施態様２の他の変形例を示す構成図である。
【図６】本発明の食器具の実施態様２の他の変形例を示す構成図である。
【図７】本発明の食器具の実施態様３を示す構成図である。
【図８】本発明の食器具の実施態様４を示す構成図である。
【図９】本発明の食器具の実施態様４の他の変形例を示す構成図である。
【図１０】本発明の食器具の実施態様５を示す構成図である。
【発明を実施するための形態】
【００１７】
以下、添付図面を参照して、本発明を実施するための形態（以下、実施形態）について詳細に説明する。なお、実施形態の説明の全体を通して同じ要素には同じ番号を付している。
（実施態様１）
【００１８】
図１は本発明の食器具の実施態様１を示す構成図で、図１（ａ）は平面図、図１（ｂ）は側面図、図１（ｃ）は図１（ａ）のｃ−ｃ線における断面図である。
【００１９】
食器具１００は、図１（ａ）に示すように、たとえば図中ｘ方向に長辺を図中ｙ方向に短辺を有する長方形状をなすベース部１０を有する。このベース部１０の表面のほぼ中央にはたとえば図中ｘ方向に長軸を有する楕円形の凹部１２が形成されている。この凹部１２の表面はたとえば湾曲されて形成され、凹部の中央において他の部分よりも深く形成されている（図１（ｂ）、（ｃ）参照）。このような凹部１２が形成されたベース部１０は、たとえば皿として機能させることができ、後述のシート状部材２４を介在させて食物を盛りつけることができる。凹部１２はたとえば比較的大きな深さを有して形成され、汁等の水分を含む食物も盛りつけられるようになっている。
【００２０】
ベース部１０は、図１（ｂ）に示すように、その表面において、たとえば、図中ｘ方向の辺の中央が高く両端が低い円弧状の膨らみ（凸のＲ加工）を有して形成されている。後述のように、ベース部１０の表面のほぼ全域にシート状部材２４を覆うようにして配置させるようになっており、この際に、ベース部１０の上述したＲ加工面によって、シート状部材２４にベース部１０側への力を作用させ、シート状部材２４とベース部１０とが密着し易くするためである。また、ベース部１０の表面には、たとえば凹部１２の表面をも含んで、いわゆる鏡面加工がなされ、表面が滑らかな状態となっている。このようにすることによって、ベース部１２の表面においてシート状部材２４がさらに密着し易くなるようにしている。なお、この鏡面加工は、凹部１２の表面のみであってもよく、また凹部１２を除くベース部１０の表面のみであってもよい。このように部分的に鏡面加工を施すようにしても、シート状部材２４とベース部１０との信頼性ある密着ができるからである。
【００２１】
ベース部１０のたとえば図中右側の側壁面（説明の便宜上、右側面１０Ｒと称する）にはシートロール体２０を収納する収納箱（この明細書においてシート収納部材と称する場合がある）２２が取り付けられている。この収納箱２２は、たとえば前記シートロール体２０を収納した状態では、図１（ｃ）に示すように、ベース部１０の右側面１０Ｒと対向する側に開口を有する箱体によって構成されている。収納箱２２は、図中ｙ方向における両端において、ベース部１０の前方側および後方側の側壁面（説明の便宜上、それぞれ、前側面１０Ｆ、後側面１０Ｂと称する）に固定され右側面側１０Ｒに突出した一対の支持体１４ａ、１４ｂにそれぞれ軸体１５ａ、１５ｂを介して取り付けられている。これにより、収納箱２２は、軸体１５ａ、１５ｂを中心にして、図１（ｂ）の図中矢印α方向に回動させることができ、収納箱２２の開口を上方（図中ｚ方向）に露呈させることができる。図２（ｂ）は、収納箱２２の開口を上方（図中ｚ方向）に露呈させた状態を示している。図２（ｂ）に示すように、シートロール体２０は、収納箱２２の開口を通して収納箱に収納できるようになっている。シートロール体２０は、図２（ａ）に示すように、たとえば紙筒２１の周りにシート状部材２４を幾重にも巻いて構成されたものであり、その一端を引き出し、必要な長さにカットして用いることができるようになっている。ここで、シートロール体２０のシート状部材２４はたとえばラップからなり、その材料としては、たとえば、ポリ塩化ビニリデン樹脂からなっている。また、このラップは、伸縮性に富んだ材料からなることが好ましく、この場合の材料としては、たとえば、ポリ塩化ビニル樹脂やポリエチレン樹脂が選定される。
【００２２】
このようにして収納箱２２にシートロール体２０を収納した後は、収納箱２２を図１（ｂ）に示すように元の位置に戻すことができるようになっている。一般に、ラップ等のシートロール体２０は、衛生的に管理されて清潔に形成されたものであり、上述した収納箱２２に収納されたシートロール体２０は、その開口もベース部１０の右側面１０Ｒによって塞がれた状態となり、外部からの汚染から保護されるようになる。なお、この収納箱２２は、シートロール体２０を収納し図１（ｂ）に示す状態を維持できるように、収納箱２２とベース部１０との間に図示しない係止手段を設けるようにしたり、あるいは前記軸体１５ａ、１５ｂに図示しない付勢手段を設けるようにしてもよい。また、収納箱２２を図１（ｂ）の状態とした場合、収納箱２２の上辺のベース部１０側の端辺はベース部１０の右側面１０Ｒと若干の隙間Ｇ１が形成されるようになっている。このため、シートロール体２０を収納箱２２に収納した後は、シート状部材２４の一端を前記隙間Ｇ１から若干の長さだけ引き出しておくことによって、シート状部材２４を必要な時にすぐに図中矢印β方向に引き出すことができるようになっている。
【００２３】
なお、シートロール体２０の使用によって、シート状部材２４が無くなってしまった場合、新たに購入したシートロール体２０に交換することができることはいうまでもない。この場合、収納箱２２の上述した構成は、シートロール体２０の交換を極めて容易にすることができる。
【００２４】
ベース部１０の表面であって前記収納箱２２と反対側の端辺の近傍には、シートカット手段３０が取り付けられている。このシートカット手段３０は、図１（ａ）に示すように、図中ｙ方向に延在するたとえば樹脂からなる板材によって構成され、ベース部１０にたとえば植設されて配置されている。図２（ｃ）は、シートカット手段３０のみを抜き出して示した平面図である。図２（ｃ）に示すように、板材からなるシートカット手段３０は、辺３０ａにおいて平坦となっており、該辺３０ａと対向する先端辺３０ｂにはたとえば鋸状の歯が形成されて構成されている。このように構成されたシートカット手段３０は、たとえば図１（ｂ）、（ｃ）に示すように、凹部１２と反対の側へ若干傾倒させた状態でベース部１０に設けられている。このようにシートカット手段３０を若干傾倒させることによって、シート状部材２４を容易に切断できるという効果を奏する。なお、シートカット手段３０はたとえばラップからなるシート状部材２４をカットするものであることから、歯は鋭利である必要はなく、食器具の使用者の安全性を考慮してラフに構成することができる。また、シートカット手段３０はベース部１０と別な物品として説明したが、ベース部１０と一体に構成するようにしてもよいことはもちろんである。
【００２５】
ベース部１０の前記シートカット手段３０が設けられた側の側壁面（説明の便宜上、左側面１０Ｌと称する）には、たとえばシートカット手段３０によってカットされたベース部１０の表面上のシート状部材２４をベース部１０側に押圧するシート抑え手段４０が取り付けられている。このシート抑え手段４０は、たとえば、シート状部材２４を押圧していない状態では、図１（ｂ）、（ｃ）に示すように、ベース部１０の表面とほぼ平行に配置される支持板４１と、この支持板４１に対して上方に突出する抑え板４２からなり、断面がほぼ“Ｌ”字状の部材によって構成されている。このシート抑え手段４０は、前記支持板４１の図中ｙ方向における両端において、ベース部１０の前側面１０Ｆ、後側面１０Ｂに固定され左側面１０Ｌ側に突出した一対の支持体１６ａ、１６ｂにそれぞれ軸体１７ａ、１７ｂを介して取り付けられることによって、ベース部１０に取り付けられている。これにより、シート抑え手段４０は、軸体１７ａ、１７ｂを中心にして、図１（ｂ）の図中矢印γ方向に回動させることができ、抑え板４２をベース部１０の表面に対向するように移動させることができる。図２（ｄ）は、シート抑え手段４０の抑え板４２をベース部１０の表面に対向して配置された状態を示している。図２（ｄ）に示すように、抑え板４２のベース部１０の凹部１２側の先端には、ベース部１０側に指向された突起部（抑え部）４５が設けられたており、この突起部４５はベース部１０の表面に当接されるようになっている。この場合、突起部４５が当接されるベース部１０の表面は、前記シートカット手段３０と凹部１２の間の部分となっている。このため、シート抑え手段４０が図２（ｄ）に示す位置にある場合、シートカット手段３０はシート抑え手段４０によって覆われる状態となる。なお、このシート抑え手段４０は、ベース部１０の表面をある程度の力で押圧できるように、シート抑え手段４０にベース部１０との間に図示しない係止手段を設け、あるいは前記軸体１７ａ、１７ｂに図示しない付勢手段を設けるようにしてもよい。
【００２６】
図３は、ベース部１０の凹部１２に食物を盛りつける直前における食器具１００の状態を示す図である。図１（ｃ）に対応づけて描いた図となっている。
【００２７】
図３において、ベース部１０の表面には、凹部１２の表面をも覆うようにしてシート状部材２４がコートされている。このため、皿を模る凹部１２の表面はシート状部材２４によって衛生面において清潔な面となり、その面上に食物を載置し得るようになる。
【００２８】
このような状態の食器具１００は、次に示すように、簡単に構成することができる。まず、シート抑え手段４０を、その抑え板４２がベース部１０の左側面１０Ｌ側に傾倒されるようにした状態（図１（ａ）、（ｂ）参照）にする。次に、ベース部１０と収納箱２２との間から若干引き出されているシート状部材２４を、そのまま引き出し、ベース部１０の表面（凹部１２を含む）を覆うようにする。次に、このようにベース部１０の表面を覆ったシート状部材２４の端部を、ベース部１０に取り付けられたシートカット手段３０によってカットする。このシートカット手段３０は上述したように上辺が鋸状となっていることから、シート状部材２４をシートカット手段３０の上辺に当接させて、端部を下方側へ若干強く引くことによって容易に切断させることができる。その後、シート抑え手段４０を支軸１７ａ、１７ｂを中心にして回動（図１（ｂ）中矢印γ方向）し、その抑え板４２がベース部１０の表面に対向し、該抑え板４２の先端に形成された突起部４５がシート状部材２４を介在させてベース部１０に当接するようにする。これにより、シート状部材２４の先端はシート抑え手段４０によって押圧される。この場合、抑え板４２はシートカット手段３０を覆うようにして配置されることから、食事中において、たとえば手がシートカット手段３０に触れてしまうことを回避できる。
【００２９】
このようにしてベース部１０の表面を覆うシート状部材２４は、該ベース部１０の表面（凹部１２の表面を除く）にＲ加工が施されているため、ベース部１０の表面に密着できるようになる。Ｒ加工されていることによって２４はベース部１０側に力が作用するからである。そして、ベース部１０の凹部１２の上方にあるシート状部材２４を凹部１２の表面に当接するようにたとえば指で撫でるようにして押さえつけることによって、シート状部材２４は凹部１２の表面にも密着するようになる。シート状部材２４は、上述したように、伸縮し易い材料で構成した場合、凹部１２の表面に追随した形状に容易に変形できるようになる。さらに、ベース部１０の表面は、上述したように鏡面加工がされているため、シート状部材２４との密着性が良好となり、図２（ｄ）に示した状態を比較的長い時間維持させることができるようになる。
【００３０】
食器具１００を用いて食事が終了した後は、ベース部１０の表面を覆っているシート状部材２４は食物で汚れた状態となる。しかし、シート抑え手段４０によるシート状部材２４の抑えを解除し、シート状部材２４をさらにシートロール体２０から引き出し、このようにして引き出されたシート状部材（衛生上清潔な部分）２４によってベース部１０を覆うようにする。そして、シートカット手段３０によってシート状部材２４の端部、すなわち今回の食事によって汚れてしまった部分を切り離すようにする。このため、食器具１００を水洗いすることなく、ベース部１０の皿として模る凹部１２およびその周辺を全く清潔な状態とすることができ、次の食事においてそのまま用いる態勢とすることができる。
【００３１】
このように構成された食器具１００は、収納箱２２を備え、この収納箱２２にシート状部材２４を収納する構成となっている。そして、このシート状部材２４は、たとえば食器具１００の形状等によってシート状部材２４の量が制限されることがなくなる。したがって、たとえば大量のシート状部材２４を巻回するシートロール体２０を用いることができ、このシートロール体２０を頻繁に交換する必要なく、長期にわたって使用することができる効果を奏する。
【００３２】
また、このように構成された食器具１００は、ベース部１０を覆うシート状部材２４は、常に、たとえば一枚からなっている。すなわち、従来に観られたように予め複数のフィルムを剥離可能に積層させたものとは異なっている。このため、ベース部１０を覆うシート状部材２４は極めて柔軟性に富み、その表面に追随してシート状部材２４を配置させることができるようになる。
【００３３】
さらに、このように構成された食器具１００は、ベース部１０を覆うシート状部材２４には、たとえば摘み部等の余計な付属物がなく、使用者に違和感をもたらすことがないようになっている。
【００３４】
上述した食器具において、ベース部１０、収納箱２２、シートカット手段３０、シート抑え手段４０は、たとえば成形された樹脂から構成されている。この場合、樹脂の材料としては、たとえば、ポリプロピレン樹脂やポリカーボネート樹脂等が挙げられる。この場合、上述した材料からなるシート状部材との密着性を考慮した場合、たとえばポリ塩化ビニル樹脂等であることが好ましい。
しかし、これらベース部１０、収納箱２２、シートカット手段３０は樹脂によって構成することはなく、他の材料であってもよいことはいうまでもない。
（実施態様２）
【００３５】
上述した実施態様１では、ベース部１０の表面に形成した凹部１２は楕円形状をしたものを一個形成したものである。しかし、必ずしても楕円形状に限らず、円形、あるいは矩形のような他の形状であってもよい。また、凹部１２は一個のみに限らず、複数個設けるようにしてもよい。
【００３６】
図４は、本発明の食器具１００の他の例を示す図で、図１（ａ）に対応づけて描いた図となっている。図４において、食器具１００のベース部１０の表面には、たとえば大きさの異なる矩形状の凹部１３ａ、１３ｂ、１３ｃをたとえば３個設けるように構成したものとなっている。これにより、仕切りが設けられた皿の機能を有するようになり、それぞれの凹部に種類の異なる食物を盛りつけることができるようになる。
【００３７】
また、図５は、本発明の食器具１００の他の例を示す図で、図１（ｂ）に対応づけて描いた図となっている。図５において、ベース部１０の表面に形成した凹部１２ｅは、ベース部１０の右側面１０Ｒ側から左側面１０Ｌ側へかけて波状となるように形成されている。すなわち、ベース部１０の表面において図中ｙ方向には等しい高さを有するが、図中ｘ方向には山の高低が繰り替えされるように凹部が形成されている。このように構成された食器具１００は、水分を多く含まない食物（たとえば串刺しの焼き鳥）等を載置するのに適した構成となっている。
【００３８】
さらに、図６は、本発明の食器具１００の他の例を示す図である。図６（ａ）は図１（ａ）に対応づけて描いた図で、図６（ｂ）は図１（ｂ）に対応づけて描いた図となっている。図６において、図１に示した構成と異なるのは、ベース部１０の表面において凹部を有さず平坦になっていることにある。このように構成した場合にも、たとえば水分を多く含まない食物等を載置するのに適した構成となる。
【００３９】
なお、実施態様２に示したベース部１００の表面の構成は、実施態様１に適用できるばかりでなく、これから説明する以下の実施態様（実施態様３〜６）にも適用できるものである。
（実施態様３）
【００４０】
図７は、本発明の食器具１００の実施態様３を示す構成図ある。図７（ａ）は、図１（ａ）と対応づけて描画した図、図７（ｂ）は、図１（ｂ）と対応づけて描画した図となっている。
【００４１】
図７（ａ）、（ｂ）において、図１（ａ）、（ｂ）と比較した場合に異なる構成は、シートロール体２０Ａを収納する収納箱２２Ａにある。ここで、シートロール体２０Ａは、図７（ｃ）に示すように、たとえば紙からなる箱２６にシートロール体（たとえば図２（ａ）に示したものと同様となっている）が内蔵されたものとなっている。箱２６にはシートロール体からシート状部材２４を引き出す長孔２６Ａが形成され、この長孔２６Ａからはシート状部材２４の端部が若干引き出された状態となっている。箱２６は、シートロール体の取り扱いを容易にするとともに、シートロール体を外部からの汚染から保護するようになっている。
【００４２】
図７（ａ）、（ｂ）に示す収納箱２２Ａは、上方に開口を有する箱体からなり、この状態でベース部１０の右側面１０Ｒに固定されている。すなわち、収納箱２２Ａはたとえば４つの側面を有し、図中左側面２２Ｌにおいてベース部１０の右側面１０Ｒに固定されるようになっている。収納箱２２Ａの図中ｙ方向の長さはベース部１０の図中ｙ方向の幅とほぼ同様となっている。そして、この収納箱２２Ａには、前記箱（シートロール体を内蔵する）２６を載置させるようになっており、これにより前記箱２６は四方を左右前後の各側面２２Ｌ、２２Ｒ、２２Ｆ、２２Ｂに囲まれるように収納されるようになっている。ここで、図７（ａ）、（ｂ）に示すように、収納箱２２Ａに収納された箱をベース部１０側へ移動させ左側面２２Ｌの内壁に密着させた場合、箱２６と収納箱２２Ａの右側面２２Ｒの内壁との間に間隙Ｇ２が形成されるようになっている。そして、この間隙Ｇ２において、収納箱２２Ａの右側面２２Ｒの内壁に固定されたバネ材２８が配置されている。このバネ材２８は、図７（ｄ）に示すように、たとえば樹脂材から構成され、収納箱２２Ａの右側面２２Ｒに固定される固定部２８Ａに対して屈曲した舌片部２８Ｂを有し、この舌片部２８Ｂを固定部２８Ａ側へ押圧すると、その反対の方向（図中矢印Ｐ方向）へ付勢力が作用するようになっている。なお、バネ材２８の固定部２８Ａの外方壁部と舌片部２８Ｂの外方壁部との間の最大の間隔Ｇ３は前記間隙Ｇ２よりも若干大きく形成されている。このため、図７（ａ）に示すように、バネ材２８の付勢力に抗して箱２４を収納箱２２Ａに載置させた場合、箱２６はバネ材２８から付勢力を受けることになる。これにより、箱２６は収納箱２２Ａから脱落しにくい状態で収納されることになる。ここで、この実施態様３においては、この明細書において称呼されるシート収納部材は、前記箱２６、前記バネ材２８、前記収納箱２２とから構成されているとするのが適切となる。このように構成された食器具１００は、実施態様１、２に示した食器具１００と同様に用いることができ、実施態様１、２に示した食器具１００と同様の効果を奏する。
なお、実施態様２に示した収納箱２２Ａの構成は、実施態様１、２に適用できるばかりでなく、これから説明する以下の実施態様（実施態様４〜５）にも適用できるものである。
（実施態様４）
【００４３】
図８は、本発明の食器具１００の実施態様４を示す構成図ある。図８（ａ）は、図１（ａ）と対応づけて描画した図、図８（ｂ）は、図（１ｂ）と対応づけて描画した図となっている。
【００４４】
図８において、図１と比較した場合に異なる構成は、シートカット手段３０にある。すなわち、シートカット手段３０は、ベース部１０の表面の左側面１０Ｌに近接する個所において図中ｙ方向に延在して形成される溝３２によって構成されている。溝３２はベース部１０の前側面１０Ｆおよび後側面１０Ｂに至るまで形成されている。
【００４５】
このように構成されるシートカット手段３０は、ベース部１０の表面（前記溝３２も含む）にシート状部材２４を覆うように配置した後、たとえば楊枝等の先端をシート状部材２４の上から溝３２の一端にあてがい、そのまま楊枝等を他端にかけて走行させることによってシート状部材２４を溝３２に沿って容易に切断することができる。
【００４６】
なお、実施態様４に示したシートカット手段の構成は、実施態様１ないし３に適用できるばかりでなく、これから説明する以下の実施態様（実施態様５、６）にも適用できるものである。
【００４７】
また、上述した実施態様では、シートカット手段３０は、ベース部１０の左側面１０Ｌに近接する部分に取り付けるようにしたものである。しかし、このようなシートカット手段３０と別個のシートカット手段をベース部１０の右側面１０Ｒに近接する部分、すなわちシートロール体２０、２０Ａが配置される個所の近傍に形成するようにしてもよい。
【００４８】
図９は、シートカット手段３０と別個のシートカット手段３０Ａをベース部１０に取り付けた場合の実施態様を示す構成図である。図９（ａ）は図１（ａ）と対応づけて描いた図、図９（ｂ）は図１（ｂ）と対応づけて描いた図である。
【００４９】
このように構成した食器具１００は、比較的長い時間使用しない場合において、ベース部１０の表面にシート状部材２４をコートさせておく必要がないことから、シート状部材２４をシートカット手段３０Ａによってシートロール体２０、２０Ａの手前でカットできるようにしている。この場合、シート状部材２４をシートカット手段３０Ａの長手方向に沿って若干力を入れてなぞるようにすることにより、シート状部材２４はシートカット手段３０Ａによって容易にカットすることができるようになる。食器具１００に食物を盛りつけたり該食物を食したりする際には、ベース部１０の表面にはシート状部材２４は前記シートカット手段３０Ａをも覆ってコートされた状態となるが、上述のようにシート状部材２４をシートカット手段３０Ａの長手方向に沿って若干力を入れてなぞるようなことをしない限り、シート状部材２４はカットされることはない。また、たとえシート状部材２４が何らかの原因でカットされてしまうようなことがあっても、上述のようにシート状部材２４はベース１０の表面に密着した状態となっていることから、前記シートカット手段３０Ａの存在によって不都合をもたらすようなことはない。また、ベース部１０の右側面１０Ｒ側に形成した別個のシートカット手段３０Ａは、図８に示したような溝３２によって構成するようにしてもよいことはもちろんである。
【００５０】
なお、実施態様４に示したシートカット手段の構成は、実施態様１ないし３に適用できるばかりでなく、これから説明する以下の実施態様（実施態様５、６）にも適用できるものである。
（実施態様５）
【００５１】
図１０は、本発明の食器具の実施態様５を示す構成図ある。図１０（ａ）は、図１（ａ）と対応づけて描画した図、図１０（ｂ）は、図１０（ａ）のｂ−ｂ線における断面図である。
【００５２】
図１０において、図１に示す場合と異なる構成は、シート抑え手段４０にある。すなわち、シート抑え手段４０は、ベース部１０の表面に形成された溝４６と、この溝４６内に嵌合される抑え部材４７Ａ、４７Ｂとから構成されている。
溝４６は、シートカット手段３０よりも凹部１２側において図中ｙ方向に延在し、両端のそれぞれが、ベース部１０の前側面１０Ｆおよび後側面１０Ｂに至るまで形成されている。溝４６の両端のそれぞれには、溝４６に嵌合して配置される抑え部材４７Ａ、４７Ｂを有し、これら抑え部材４７Ａ、４７Ｂは、ベース部１０の前側面１０Ｆ、後側面１０Ｂのそれぞれにおいて、溝４６の開口を跨ってベース部１０に固定された支持部材４８Ａ、４８Ｂによって支持されている。それぞれの抑え部材４７Ａ、４７Ｂは、支持部材４８Ａ、４８Ｂとの間に設けられた支軸４９Ａ、４９Ｂによって支持され、この支軸４９Ａ、４９Ｂを中心にして回動できるようになっている。これにより、図１０（ｂ）に示すように、抑え部材４７Ａ、４７Ｂは、溝に嵌合して配置された状態からたとえば垂直に起立させた状態に、また、垂直に起立させた状態から溝に嵌合して配置された状態に移行（操作）させることができるようになっている。なお、抑え部材４７Ａ、４７Ｂの先端（支軸４９Ａ、４９Ｂと反対側の端部）には突起５０が形成され、溝４６に嵌合された抑え部材４７Ａ、４７Ｂを容易に起立させることができるようになっている。
【００５３】
なお、抑え部材４７Ａ、４７Ｂを、ベース部１０の前側面１０Ｆ、後側面１０Ｂのそれぞれに設けることによって、シート状部材２４の抑えを信頼性よくできるとともに、抑え部材４７Ａ、４７Ｂの長さを短く構成することができる。抑え部材４７Ａ、４７Ｂの長さを短くしたのは、抑え部材４７Ａ、４７Ｂを起立させた際に、該抑え部材４７Ａ、４７Ｂがなるべく邪魔とならないことを配慮したためである。このため、このような配慮を必要としない場合、抑え部材４７Ａ、４７Ｂのうちたとえば抑え部材４７Ａをベース部１０の前側面１０Ｆ側に取り付け、この抑え部材４７Ａの先端をベース部１０の後側面１０Ｂ側に近接するような長さで形成するようにしてもよい。
【００５４】
なお、実施態様５に示したシート抑え手段の構成は、実施態様１ないし４に適用できるばかりでなく、以下の実施態様６においても適用できるものである。
（実施態様６）
【００５５】
上述した各実施態様では、シート状部材としてラップを説明したものである。しかし、必ずしもラップに限定されることはなく、紙あるいはアルミニゥムでシート状に構成したものであってもよいことはもちろんである。同様の効果が得られるからである。
【００５６】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００５７】
１００……食器具、１０……ベース部、１０Ｒ……右側面、１２、１２ａ、１２ｂ、１２ｃ、１２ｄ、１２ｅ……凹部、１４ａ、１４ｂ……支持体、１５ａ、１５ｂ……軸体、１６ａ、１６ｂ……支持体、１７ａ、１７ｂ……軸体、２０、２０Ａ……シートロール体、２１……紙筒、２２、２２Ａ……収納箱、２４……シート状部材、２６……箱、２６Ａ……長孔、２８……バネ材、２８Ａ……固定部、２８Ｂ……舌片部、３０……シートカット手段、３２……溝、４０……シート抑え手段、４１……支持板、４２……抑え板、４５……突起部、４６……溝、４７Ａ、４７Ｂ……抑え部材、４８Ａ、４８Ｂ……支持部材、４９Ａ、４９Ｂ……支軸、５０……突起、Ｇ１、Ｇ２……隙間、Ｇ３……間隔。
【図１】
2012024361.tif 000003
【図２】
2012024361.tif 000004
【図３】
2012024361.tif 000005
【図４】
2012024361.tif 000006
【図５】
2012024361.tif 000007
【図６】
2012024361.tif 000008
【図７】
2012024361.tif 000009
【図８】
2012024361.tif 000010
【図９】
2012024361.tif 000011
【図１０】
2012024361.tif 000012